(57)【特許請求の範囲】
【請求項１】
ラジオ無線信号に対する受信部（１）と、評価ユニット（１３）と、該評価ユニットに接続されているメモリ（３）と、オーディオ再生ユニット（５）とを有する自動車内の電気装置、例えば自動車ラジオ装置によりメッセージを受信する方法において、
無線接続区間を介してメッセージを送信し、
該メッセージを受信して前記評価ユニット（１３）により前記メモリ（３）に格納し、
その時点で活性化されている装置のオーディオ再生をメッセージの受信が確認されるまで中断する、ことを特徴とする自動車内の電気装置によりメッセージを受信する方法。
【請求項２】
前記メッセージを音声シーケンスから形成し、一連の音によって特徴付け、ラジオ無線により伝送する、請求項１記載の方法。
【請求項３】
前記メッセージを、直接に要求可能な第２の無線受信機（１１）により受信する、請求項１または２記載の方法。
【請求項４】
メッセージを無線受信機（１１）へディジタル形式で伝送し受信する、請求項１から３までのいずれか１項記載の方法。
【請求項５】
無線受信機（１１）は自動車登録番号に相応する受信識別マークを有する、請求項１から４までのいずれか１項記載の方法。
【請求項６】
メッセージをディスプレイ（５）を介して再生するか、および／または音声出力部（６）を介して再生する、請求項１から５までのいずれか１項記載の方法。
【請求項７】
メッセージの存在を一連の音により示す、請求項１から６までのいずれか１項記載の方法。
【請求項８】
メッセージの存在を発光ディスプレイにより表示する、請求項１から７までのいずれか１項記載の方法。
【請求項９】
メッセージ受け取りの確認を入力キー（４）により行う、請求項１から８までのいずれか１項記載の方法。
【請求項１０】
確認をマイクロフォン（１２）への音声命令により行う、請求項１から８までのいずれか１項記載の方法。
【請求項１１】
受信機（１１）の識別回路へ向けられるメッセージを電話番号から形成し、該メッセージを人物データを有する大容量メモリと照合することにより補足する、請求項１から１０までのいずれか１項記載の方法。
【請求項１２】
ラジオ無線信号に対する受信部（１）と、評価ユニット（１３）と、該評価ユニットに接続されているメモリ（３）と、ラジオ無線および／またはオーディオ担体のオーディオ信号のためのオーディオ再生ユニット（５、６）とを有する
電気装置例えば自動車ラジオ装置において、
該装置はスイッチ（７、８）を有しており、
該スイッチは前記評価ユニット（１３）により制御されて、メッセージが受信されている間オーディオ信号の出力が中断され、
前記装置はメッセージを確認する手段を有する、ことを特徴とする電気装置例えば自動車ラジオ装置。
【請求項１３】
付加的な無線受信機（１１）が設けられており、該無線受信機は加入者番号により要求され、評価ユニット（１３）により監視される、請求項１２記載の電気装置例えば自動車ラジオ装置。
【発明の詳細な説明】
従来の技術
本発明は、請求項１記載の構成を有するメッセージの受信方法、および請求項１２記載の構成を有するこの方法を実施するための電気装置に関する。
移動無線技術から、短いメッセージいわゆるショートメッセージサービス（ＳＭＳ）を、無線ネットワークの個々の加入者へ伝送できる方法および装置が知られている。この種の短いメッセージは例えばＥネットでは最大１６０字の長さを有することができる。このようなメッセージの着信は一連の音によって認識できるようになっている。このようなメッセージの伝送は無線ネットワークで問題なく行うことができる。なぜならディジタル移動無線装置はスイッチオンされている間中、無線ステーションにコンタクトしているからである。
さらに交通情報、非常呼び出し送信などをラジオ無線を介してラジオ装置の利用者に送出することが知られている。送信されたラジオ無線信号には送信者によって識別マークが付されており、ラジオ装置によりこれが識別される。ただし非常呼び出し送信については、探索すべき人物がそのメッセージを受信したことが保証されない。
さらにドイツ連邦共和国特許出願公開４１１８９７０号公報から、メッセージを受信する方法、および自動車ラジオ装置が公知である。ここではラジオ放送プログラムの一部として伝送されるメッセージ、例えば交通無線メッセージなどの特別情報が自動車ラジオ装置のレコーダ装置を用いて記録される。このレコーダ装置の制御すなわちスイッチオンおよびスイッチオフのために、特別メッセージの開始時および終了時に同様にラジオ放送プログラムの一部として伝送される信号音が評価される。
発明の利点
請求項１記載の構成を有する本発明の方法は従来の技術に比べて、メッセージがメモリに格納され、利用者がメッセージの受信を確認応答する時点まで装置の動作が中断される利点を有する。このことにより探索すべき人物の非常呼び出しが高い確率で達成されることが保証される。強制的に情報の受け取りを確認応答しなければならないことにより、どんな場合でも、たとえ利用者がそのとき車両内にいなくても利用者に情報が送出される。
従属請求項に記載の構成を有する手段により、請求項１記載の構成を有する方法の別の有利な実施形態と改善態様が得られる。
まず最も簡単な実施形態について、メッセージをラジオ無線を介して伝送する利点を説明する。
本発明の改善態様は、識別マークを付された無線受信機に向けてメッセージが伝達され、受け取られる場合に得られる。特に有利には、無線受信機を介して受信されるメッセージは、ラジオ無線を介して送信された音声メッセージによって捕足される。この場合簡単な手段で、ラジオ無線で送出される情報と、直接に無線接続区間を介して受信される情報とが組み合わされる。
ここで有利にはディジタル無線受信機を使用することができる。例えば無線受信機は自動車登録番号に相応する識別マークを有する。
さらに有利には、メッセージ全体が無線受信機を介して車両内の装置へ伝送される。メッセージをディスプレイによって表示するか、または音声出力によって出力する場合、別の利点が得られる。有利にはメッセージの存在が一連の音、または発光ディスプレイによって示される。メッセージ受け取りの確認は入力キーを利用して行ってもよいし、マイクロフォンへの音声命令によって行ってもよく、走行運転中にはきわめて有利である。
有利には、無線受信機を介して受信されたデータをＣＤのデータと照合することにより補足できる。このために例えば氏名およびアドレスを含むＣＤを用いて、既知の電話番号に住所および探索すべき人物名が割り当てられる。
本発明の電気装置、例えば請求項１２記載の構成を有する自動車ラジオ装置は、スイッチによりオーディオ再生を中断することができ、受信されたメッセージの確認が適切な手段を介して行われる利点を有する。
さらに有利には、この装置は付加的な無線受信機を介して直接かつ個人的に呼びかけないし要求することができる。自動車ラジオ装置は有利には付加的な無線受信機を有する。
図面
本発明の実施例を図示し、以下に詳細に説明する。図１には本発明の方法のフローチャートが示されており、図２には本発明の自動車ラジオ装置が示されている。
実施例の説明
本発明は、自動車内の現行の受信装置例えば自動車ラジオ装置またはナビゲーションシステムの機能を拡張する手段を提供する。図１には、本発明の方法に従って探索すべき人物にメッセージを伝達する際の流れがフローチャートで示されている。伝達すべきメッセージの要求が第１のステップ２０で確認される。例えば人物探索の場合、ＡＤＡＣセンターでの人物探索に対する申請が電話によりステップ２１として行われる。ここから適切な送信装置を介して探索報告がステップ２２として送出される。同時に、探索すべき人物によって使用される自動車ラジオ装置の付加的な受信機の番号へ信号が送信される。受信機はステップ２３として、直接に送信された無線信号もラジオにより受信された音声信号も記録する。自動車ラジオ装置の識別マークは例えばシリアルの製造番号ないし車台番号であってもよいし、または自動車登録番号であってもよい。適切な回路により装置の動作中の機能が中断される。これに代えて、自動車ラジオ装置の機能が中断されるのではなく、自動車自体が周知の電子的な道路走行阻止手段を介して不活性状態へ移行するように構成することができる。利用者はステップ２４でメッセージの受信を確認し、装置の機能の阻止を解除することができる。探索された人物による逆方向の報告はステップ２５で直接行うことができる。この実施例によれば、非常呼び出し送信のラジオ無線テキストに加えて、関連する電話番号を直接に探索される人物の装置へ送出することができる。ラジオ無線受信機がいわゆるＴＩＭ（トラフィックインフォメーションメモリ）機能を備えている場合、識別マークにより導入されたラジオ無線メッセージは専用メモリに格納され、続いて再び呼び出すことができる。利用者がこのような装置を有していなくとも、大抵の場合単に加入者番号を伝達するだけで充分である。最も簡単な実施例では、装置の機能を中断するためにラジオ無線アナウンスを使用するだけでよい。
受信された電話番号は大容量メモリにより人名データおよび住所データと比較可能である。このためには、自動車のトランクルーム内にただ１つＣＤドライブ機構が必要なだけである。このＣＤドライブ機構は全てのアドレス、人名および電話番号が記憶されたＣＤを有している。伝達された電話番号とＣＤのデータとを照合することにより、コンタクトをとるべき人物の住所の検索が問題なく行える。
図２には本発明の自動車ラジオ装置が示されている。ラジオ無線信号９は受信機１により受け取られ、受信される。信号はスイッチ７により、スピーカ６を介した通常の音声出力として送出される。受信機がＴＩＭ（トラフィックインフォメーションメモリ）機能を有している場合、一連の音により特徴付けられるメッセージが音声モジュール２を介して検出され、評価ユニット１３により専用メモリ３内に格納される。この情報はいつでも呼び出して使用することができる。本発明の装置はラジオ無線受信部１に加えて無線信号に対する受信機１１を有している。受信機１１を介して付加的なメッセージを受信する場合、評価ユニット１３がこれを識別し、情報は同様にメモリ３内に一時的に記憶される。同時にスイッチ７または８が操作され、ラジオ無線装置の通常の機能が中断される。利用者がキー４を介してメッセージの受け取りを確認してはじめて、メッセージがメモリ３からディスプレイまたは選択的にスピーカを介して再生される。メッセージの確認はマイクロフォン１２および音声モジュールを介して行うことができる。直接の無線接続区間を介して電話番号だけを伝送したい場合、この電話番号は同様にメモリ３内に格納される。評価ユニット１３はＣＤドライブ機構１４により電話番号リストを用いてデータの照合を行う。
【図１】
0003946262.tif 000002
【図２】
0003946262.tif 000003